【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有する第１レンズ群と、正の屈折力を有する第２レンズ群と、負の屈折力を有する第３レンズ群と、正の屈折力を有する第４レンズ群とからなり、
変倍時に、前記第１レンズ群、前記第２レンズ群、前記第３レンズ群および前記第４レンズ群は、隣接する群との光軸方向の間隔を変化させ、
前記第３レンズ群は、負レンズからなり、
合焦時に、前記第３レンズ群のみが光軸に沿って移動し、
バックフォーカスをＢｆ、
前記第４レンズ群の焦点距離をｆ４とした場合、
０．２１≦Ｂｆ／ｆ４＜０．３  …（５−２）
で表される条件式（５−２）を満足する
ズームレンズ。
【請求項２】
０．２３≦Ｂｆ／ｆ４＜０．３  …（５−３）
で表される条件式（５−３）を満足する
請求項１記載のズームレンズ。
【請求項３】
前記第２レンズ群は、絞りを有し、該絞りの物体側および像側に隣接してレンズを有する
請求項１または２記載のズームレンズ。
【請求項４】
前記第２レンズ群は、物体側から順に、正レンズと前記絞りとを連続して有する
請求項３記載のズームレンズ。
【請求項５】
前記第２レンズ群は、前記絞りの像側に、少なくとも１枚の正レンズと少なくとも１枚の負レンズとからなる接合レンズを有する
請求項３または４記載のズームレンズ。
【請求項６】
前記接合レンズは、１枚の正レンズと１枚の負レンズとからなり、
前記接合レンズを構成する正レンズと負レンズのアッベ数差をΔνｃｄとした場合、
１５＜Δνｃｄ＜６０  …（８）
で表される条件式（８）を満足する
請求項５記載のズームレンズ。
【請求項７】
前記第４レンズ群は、正レンズからなる
請求項１から６のいずれか１項記載のズームレンズ。
【請求項８】
前記第４レンズ群は、変倍時に固定される
請求項１から７のいずれか１項記載のズームレンズ。
【請求項９】
前記第２レンズ群は、光軸と直交する方向に移動することで防振を行う防振レンズ群を有し、
望遠端における無限遠物体合焦時の全系の焦点距離をｆｔ、
前記防振レンズ群の焦点距離をｆｏｉｓとした場合、
０．５＜ｆｔ／ｆｏｉｓ＜２  …（６）
で表される条件式（６）を満足する
請求項１から８のいずれか１項記載のズームレンズ。
【請求項１０】
物体側から順に、負の屈折力を有する第１レンズ群と、正の屈折力を有する第２レンズ群と、負の屈折力を有する第３レンズ群と、正の屈折力を有する第４レンズ群とからなり、
変倍時に、前記第１レンズ群、前記第２レンズ群、前記第３レンズ群および前記第４レンズ群は、隣接する群との光軸方向の間隔を変化させ、
前記第３レンズ群は、負レンズからなり、
合焦時に、前記第３レンズ群のみが光軸に沿って移動し、
前記第２レンズ群は、絞りを有し、前記絞りの物体側および像側に隣接してレンズを有し、前記絞りの像側に、少なくとも１枚の正レンズと少なくとも１枚の負レンズとからなる接合レンズを有し、
前記第２レンズ群は、光軸と直交する方向に移動することで防振を行う防振レンズ群を有し、
前記防振レンズ群は、前記絞りよりも像側に配置されており、
前記第４レンズ群は、変倍時に固定される
ズームレンズ。
【請求項１１】
望遠端における無限遠物体合焦時の全系の焦点距離をｆｔ、
前記防振レンズ群の焦点距離をｆｏｉｓとした場合、
０．５＜ｆｔ／ｆｏｉｓ＜２  …（６）
で表される条件式（６）を満足する
請求項１０記載のズームレンズ。
【請求項１２】
前記第４レンズ群は、正レンズからなる
請求項１０または１１記載のズームレンズ。
【請求項１３】
前記接合レンズは、１枚の正レンズと１枚の負レンズとからなり、
前記接合レンズを構成する正レンズと負レンズのアッベ数差をΔνｃｄとした場合、
１５＜Δνｃｄ＜６０  …（８）
で表される条件式（８）を満足する
請求項１０から１２のいずれか１項記載のズームレンズ。
【請求項１４】
請求項１から１３のいずれか１項記載のズームレンズを備えた撮像装置。
【手続補正２】
【補正対象書類名】明細書
【補正対象項目名】０００８
【補正方法】変更
【補正の内容】
【０００８】
本発明の第１のズームレンズは、物体側から順に、負の屈折力を有する第１レンズ群と、正の屈折力を有する第２レンズ群と、負の屈折力を有する第３レンズ群と、正の屈折力を有する第４レンズ群とからなり、変倍時に、第１レンズ群、第２レンズ群、第３レンズ群および第４レンズ群は、隣接する群との光軸方向の間隔を変化させ、第３レンズ群は、負レンズからなり、合焦時に、第３レンズ群のみが光軸に沿って移動し、バックフォーカスをＢｆ、第４レンズ群の焦点距離をｆ４とした場合、下記条件式（５−２）を満足する。
０．２１≦Ｂｆ／ｆ４＜０．３  …（５−２）

【手続補正３】
【補正対象書類名】明細書
【補正対象項目名】０００９
【補正方法】変更
【補正の内容】
【０００９】
本発明の第１のズームレンズにおいては、下記条件式（５−３）を満足することが好ましい。
０．２３≦Ｂｆ／ｆ４＜０．３  …（５−３）

【手続補正４】
【補正対象書類名】明細書
【補正対象項目名】００１０
【補正方法】変更
【補正の内容】
【００１０】
また、第２レンズ群は、絞りを有し、絞りの物体側および像側に隣接してレンズを有することが好ましい。

【手続補正５】
【補正対象書類名】明細書
【補正対象項目名】００１１
【補正方法】変更
【補正の内容】
【００１１】
また、第２レンズ群は、物体側から順に、正レンズと絞りとを連続して有することが好ましい。

【手続補正６】
【補正対象書類名】明細書
【補正対象項目名】００１２
【補正方法】変更
【補正の内容】
【００１２】
また、第２レンズ群は、絞りの像側に、少なくとも１枚の正レンズと少なくとも１枚の負レンズとからなる接合レンズを有することが好ましい。

【手続補正７】
【補正対象書類名】明細書
【補正対象項目名】００１３
【補正方法】変更
【補正の内容】
【００１３】
この場合、接合レンズは、１枚の正レンズと１枚の負レンズとからなり、接合レンズを構成する正レンズと負レンズのアッベ数差をΔνｃｄとした場合、下記条件式（８）を満足することが好ましい。
１５＜Δνｃｄ＜６０  …（８）

【手続補正８】
【補正対象書類名】明細書
【補正対象項目名】００１４
【補正方法】変更
【補正の内容】
【００１４】
また、第４レンズ群は、正レンズからなることが好ましい。

【手続補正９】
【補正対象書類名】明細書
【補正対象項目名】００１５
【補正方法】変更
【補正の内容】
【００１５】
また、第４レンズ群は、変倍時に固定されることが好ましい。

【手続補正１０】
【補正対象書類名】明細書
【補正対象項目名】００１６
【補正方法】変更
【補正の内容】
【００１６】
また、第２レンズ群は、光軸と直交する方向に移動することで防振を行う防振レンズ群を有し、望遠端における無限遠物体合焦時の全系の焦点距離をｆｔ、防振レンズ群の焦点距離をｆｏｉｓとした場合、下記条件式（６）を満足することが好ましい。
０．５＜ｆｔ／ｆｏｉｓ＜２  …（６）

【手続補正１１】
【補正対象書類名】明細書
【補正対象項目名】００１７
【補正方法】変更
【補正の内容】
【００１７】
本発明の第２のズームレンズは、物体側から順に、負の屈折力を有する第１レンズ群と、正の屈折力を有する第２レンズ群と、負の屈折力を有する第３レンズ群と、正の屈折力を有する第４レンズ群とからなり、変倍時に、第１レンズ群、第２レンズ群、第３レンズ群および第４レンズ群は、隣接する群との光軸方向の間隔を変化させ、第３レンズ群は、負レンズからなり、合焦時に、第３レンズ群のみが光軸に沿って移動し、第２レンズ群は、絞りを有し、絞りの物体側および像側に隣接してレンズを有し、絞りの像側に、少なくとも１枚の正レンズと少なくとも１枚の負レンズとからなる接合レンズを有し、第２レンズ群は、光軸と直交する方向に移動することで防振を行う防振レンズ群を有し、防振レンズ群は、絞りよりも像側に配置されており、第４レンズ群は、変倍時に固定される。

【手続補正１２】
【補正対象書類名】明細書
【補正対象項目名】００１８
【補正方法】変更
【補正の内容】
【００１８】
本発明の第２のズームレンズにおいては、望遠端における無限遠物体合焦時の全系の焦点距離をｆｔ、防振レンズ群の焦点距離をｆｏｉｓとした場合、下記条件式（６）を満足することが好ましい。
０．５＜ｆｔ／ｆｏｉｓ＜２  …（６）

【手続補正１３】
【補正対象書類名】明細書
【補正対象項目名】００１９
【補正方法】変更
【補正の内容】
【００１９】
また、第４レンズ群は、正レンズからなることが好ましい。

【手続補正１４】
【補正対象書類名】明細書
【補正対象項目名】００２０
【補正方法】変更
【補正の内容】
【００２０】
また、接合レンズは、１枚の正レンズと１枚の負レンズとからなり、接合レンズを構成する正レンズと負レンズのアッベ数差をΔνｃｄとした場合、下記条件式（８）を満足することが好ましい。
１５＜Δνｃｄ＜６０  …（８）

【手続補正１５】
【補正対象書類名】明細書
【補正対象項目名】００２１
【補正方法】削除
【補正の内容】
【手続補正１６】
【補正対象書類名】明細書
【補正対象項目名】００５６
【補正方法】変更
【補正の内容】
【００５６】
次に、本発明のズームレンズの数値実施例について説明する。なお、実施例２および実施例３は、参考例として示す。